(57)【要約】      （修正有）【課題】コード管理用チャネル付きイヤホンの提供。【解決手段】イヤホン１０は、スピーカを受け取るようにされた筐体１２を備える。筐体は、ユーザの耳に挿入するようにされた前方部１８と、ユーザの耳の外側に残るようにされた後方部２０とを有する。後方部には、イヤホンコード１４を受け取って固定する大きさに作られたチャネル２２が形成される。イヤホンは、チャネルが形成されているプラグ筐体を有するイヤホンプラグ、または、チャネルが形成されているジョイント筐体を有するコードジョイントも備えてよい。【選択図】図１
2017017702.tif 000002
【特許請求の範囲】
【請求項１】
スピーカを受け取るようにされた筐体であって、ユーザの耳に挿入するようにされた前方部と、前記ユーザの耳の外側に残るようにされた後方部と、を有する筐体を備えるイヤホンであって、前記後方部には、イヤホンコードを受け取ってその中に固定するような大きさに作られたチャネルが形成されている、イヤホン。
【請求項２】
前記チャネルは、前記前方部の水平軸にほぼ垂直に向けられる、請求項１に記載のイヤホン。
【請求項３】
前記チャネルは、略円形の断面を有する、請求項１に記載のイヤホン。
【請求項４】
前記後方部は、前記イヤホンコードの挿入及び除去を容易にするために、前記チャネルの少なくとも一端の近くに角度の付いた形状を有する、請求項１に記載のイヤホン。
【請求項５】
前記イヤホンコードは、締まりばめを用いて前記チャネルに固定される、請求項１に記載のイヤホン。
【請求項６】
前記後方部は、六角形である、請求項１に記載のイヤホン。
【請求項７】
一対のイヤホンであって、
それぞれ、スピーカを受け取るようにされた第１の筐体及び第２の筐体であって、ユーザの耳に挿入されるようにされた前方部と、前記ユーザの耳の外側に残るようにされた後方部とを、それぞれ有する第１の筐体及び第２の筐体と、
第１のイヤホンコード及び第２のイヤホンコードであって、それぞれ、前記第１の筐体及び前記第２の筐体から延びる第１端を有する第１のイヤホンコード及び第２のイヤホンコードと、
前記第１のイヤホンコード及び前記第２のイヤホンコードのそれぞれの第２端を受け取るイヤホンプラグであって、前記第１のイヤホンコード及び前記第２のイヤホンコードのうちの１つを受け取ってその中に固定する大きさに作られたチャネルが形成されているプラグ筐体を有するイヤホンプラグと、
を備える、一対のイヤホン。
【請求項８】
前記後方部には、前記第１のイヤホンコード及び前記第２のイヤホンコードのうちの１つを受け取ってその中に固定する大きさに作られたチャネルが形成されている、請求項７に記載の一対のイヤホン。
【請求項９】
前記チャネルは、プラグ筐体の突出部に形成され、前記突出部は、前記プラグ筐体の上方部が前記プラグ筐体の下方部より大きい断面積を有するように構成される、請求項７に記載の一対のイヤホン。
【請求項１０】
前記プラグ筐体は、前記イヤホンコードの挿入及び除去を容易にするために、前記チャネルの少なくとも一端の近くに角度の付いた形状を有する、請求項７に記載の一対のイヤホン。
【請求項１１】
前記チャネルは、前記イヤホンプラグで受け入れられるように前記イヤホンコードにほぼ平行な向きを有し、かつ、略円形の断面を有する、請求項７に記載の一対のイヤホン。
【請求項１２】
前記イヤホンコードは、締まりばめによって前記チャネルに固定される、請求項７に記載の一対のイヤホン。
【請求項１３】
前記第１の筐体及び前記第２の筐体と前記イヤホンプラグとの間で前記第１のイヤホンコード及び前記第２のイヤホンコードに動作可能に接続されるコードジョイントをさらに備え、前記コードジョイントは、前記第１のイヤホンコード及び前記第２のイヤホンコードのうちの１つを受け取ってその中に固定するような大きさに作られたチャネルが形成されているジョイント筐体を有する、請求項７に記載の一対のイヤホン。
【請求項１４】
一対のイヤホンであって、
それぞれ、スピーカをその中に受け取るようにされた第１の筐体及び第２の筐体であって、ユーザの耳に挿入するようにされた前方部と、前記ユーザの耳の外側に残るようにされた後方部とを、それぞれ有する第１の筐体及び第２の筐体と、
前記第１の筐体  及び前記第２の筐体から、それぞれ、延びる第１のイヤホンコード及び第２のイヤホンコードと、
前記第１のイヤホンコード及び前記第２のイヤホンコードを受け取るコードジョイントであって、前記第１のイヤホンコード及び前記第２のイヤホンコードのうちの１つを受け取ってその中に固定するような大きさに作られたチャネルが形成されているジョイント筐体を有するコードジョイントと、
を備える、一対のイヤホン。
【請求項１５】
前記後方部には、前記第１のイヤホンコード及び前記第２のイヤホンコードのうちの１つを受け取ってその中に固定する大きさに作られたチャネルが形成されている、請求項１４に記載の一対のイヤホン。
【請求項１６】
前記チャネルは、前記ジョイント筐体の側部に形成される、請求項１４に記載の一対のイヤホン。
【請求項１７】
前記側部は、前記コードの挿入及び除去を容易にするために、前記チャネルの少なくとも一端の近くに角度の付いた形状を有する、請求項１４に記載の一対のイヤホン。
【請求項１８】
前記チャネルは、前記コードジョイントで受け入れられるように前記イヤホンコードにほぼ平行の向きを有し、略円形の断面を有する、請求項１４に記載の一対のイヤホン。
【請求項１９】
前記イヤホンコードは、締まりばめによって前記チャネルに固定される、請求項１４に記載の一対のイヤホン。
【請求項２０】
前記コードジョイントに動作可能に接続されるイヤホンプラグをさらに備え、前記イヤホンプラグは、前記第１のイヤホンコード及び前記第２のイヤホンコードの１つを受け取ってその中に固定するような大きさに作られたチャネルが形成されているプラグ筐体を有する、請求項１４に記載の一対のイヤホン。
【発明の詳細な説明】
【技術分野】
【０００１】
（関連出願の参照）
本出願は、２０１５年６月２９日出願のＵＳ仮出願番号６２／１８５，８７３の利益を主張し、その開示全体を引用により本明細書に組み込むものとする。
【０００２】
（技術分野）
実施形態は、イヤホンコードを受け取る少なくとも１つのチャネルを備えたイヤホンに関する。
【背景技術】
【０００３】
人は、イヤホンを様々な音声用途に用いる。イヤホンは、周囲の音を遮断するので、安全上の理由で、または、ユーザが外部の環境を認識する必要がある他の状況で、ユーザは、２つのイヤホンのうち１つだけを使用したい場合がある。使用していないイヤホンを耳からはずすと、自由にぶら下がり、邪魔になりがちで、煩わしい。使用中のイヤホン及び使用していないイヤホンのコードも絡まる場合がある。さらに、ユーザが、イヤホンを巻いて収納しようとする時、ほどけず、絡まないようにコードを固定する方法がない。
【発明の概要】
【課題を解決するための手段】
【０００４】
一実施形態においては、スピーカを受け取るようにされた筐体を備えるイヤホンを提供する。筐体は、ユーザの耳に挿入するようにされた前方部と、ユーザの耳の外側に残るようにされた後方部とを有する。後方部には、イヤホンコードを受け取って固定する大きさに作られたチャネルが形成されている。
【０００５】
別の実施形態においては、それぞれ、スピーカを受け取るようにされた第１の筐体及び第２の筐体を備える一対のイヤホンを提供する。第１の筐体及び第２の筐体は、それぞれ、ユーザの耳に挿入するようにされた前方部と、ユーザの耳の外側に残るようにされた後方部とを有する。イヤホンは、第１の筐体及び第２の筐体から延びる第１端を、それぞれ有する第１のイヤホンコード及び第２のイヤホンコードをさらに備える。イヤホンプラグは、第１のイヤホンコード及び第２のイヤホンコードのそれぞれの第２端を受け取る。イヤホンプラグは、プラグ筐体を有し、プラグ筐体には、第１のイヤホンコード及び第２のイヤホンコードのうちの１つを受け取って固定する大きさに作られたチャネルが形成されている。
【０００６】
別の実施形態においては、それぞれ、スピーカを受け取るようにされた第１の筐体及び第２の筐体を備える一対のイヤホンを提供する。第１の筐体及び第２の筐体は、それぞれ、ユーザの耳に挿入するようにされた前方部と、ユーザの耳の外側に残るようにされた後方部とを有する。イヤホンは、第１の筐体及び第２の筐体から、それぞれ、延びる第１のイヤホンコード及び第２のイヤホンコードをさらに備える。コードジョイントは、第１のイヤホンコード及び第２のイヤホンコードを受け取る。コードジョイントは、ジョイント筐体を有し、ジョイント筐体には、第１のイヤホンコード及び第２のイヤホンコードのうちの１つを受け取って固定する大きさに作られたチャネルが形成されている。
例えば、本願発明は以下の項目を提供する。
（項目１）
スピーカを受け取るようにされた筐体であって、ユーザの耳に挿入するようにされた前方部と、上記ユーザの耳の外側に残るようにされた後方部と、を有する筐体を備えるイヤホンであって、上記後方部には、イヤホンコードを受け取ってその中に固定するような大きさに作られたチャネルが形成されている、イヤホン。
（項目２）
上記チャネルは、上記前方部の水平軸にほぼ垂直に向けられる、上記項目に記載のイヤホン。
（項目３）
上記チャネルは、略円形の断面を有する、上記項目のいずれか一項に記載のイヤホン。
（項目４）
上記後方部は、上記イヤホンコードの挿入及び除去を容易にするために、上記チャネルの少なくとも一端の近くに角度の付いた形状を有する、上記項目のいずれか一項に記載のイヤホン。
（項目５）
上記イヤホンコードは、締まりばめを用いて上記チャネルに固定される、上記項目のいずれか一項に記載のイヤホン。
（項目６）
上記後方部は、六角形である、上記項目のいずれか一項に記載のイヤホン。
（項目７）
一対のイヤホンであって、
それぞれ、スピーカを受け取るようにされた第１の筐体及び第２の筐体であって、ユーザの耳に挿入されるようにされた前方部と、上記ユーザの耳の外側に残るようにされた後方部とを、それぞれ有する第１の筐体及び第２の筐体と、
第１のイヤホンコード及び第２のイヤホンコードであって、それぞれ、上記第１の筐体及び上記第２の筐体から延びる第１端を有する第１のイヤホンコード及び第２のイヤホンコードと、
上記第１のイヤホンコード及び上記第２のイヤホンコードのそれぞれの第２端を受け取るイヤホンプラグであって、上記第１のイヤホンコード及び上記第２のイヤホンコードのうちの１つを受け取ってその中に固定する大きさに作られたチャネルが形成されているプラグ筐体を有するイヤホンプラグと、
を備える、一対のイヤホン。
（項目８）
上記後方部には、上記第１のイヤホンコード及び上記第２のイヤホンコードのうちの１つを受け取ってその中に固定する大きさに作られたチャネルが形成されている、上記項目に記載の一対のイヤホン。
（項目９）
上記チャネルは、プラグ筐体の突出部に形成され、上記突出部は、上記プラグ筐体の上方部が上記プラグ筐体の下方部より大きい断面積を有するように構成される、上記項目のいずれか一項に記載の一対のイヤホン。
（項目１０）
上記プラグ筐体は、上記イヤホンコードの挿入及び除去を容易にするために、上記チャネルの少なくとも一端の近くに角度の付いた形状を有する、上記項目のいずれか一項に記載の一対のイヤホン。
（項目１１）
上記チャネルは、上記イヤホンプラグで受け入れられるように上記イヤホンコードにほぼ平行な向きを有し、かつ、略円形の断面を有する、上記項目のいずれか一項に記載の一対のイヤホン。
（項目１２）
上記イヤホンコードは、締まりばめによって上記チャネルに固定される、上記項目のいずれか一項に記載の一対のイヤホン。
（項目１３）
上記第１の筐体及び上記第２の筐体と上記イヤホンプラグとの間で上記第１のイヤホンコード及び上記第２のイヤホンコードに動作可能に接続されるコードジョイントをさらに備え、上記コードジョイントは、上記第１のイヤホンコード及び上記第２のイヤホンコードのうちの１つを受け取ってその中に固定するような大きさに作られたチャネルが形成されているジョイント筐体を有する、上記項目のいずれか一項に記載の一対のイヤホン。
（項目１４）
一対のイヤホンであって、
それぞれ、スピーカをその中に受け取るようにされた第１の筐体及び第２の筐体であって、ユーザの耳に挿入するようにされた前方部と、上記ユーザの耳の外側に残るようにされた後方部とを、それぞれ有する第１の筐体及び第２の筐体と、
上記第１の筐体  及び上記第２の筐体から、それぞれ、延びる第１のイヤホンコード及び第２のイヤホンコードと、
上記第１のイヤホンコード及び上記第２のイヤホンコードを受け取るコードジョイントであって、上記第１のイヤホンコード及び上記第２のイヤホンコードのうちの１つを受け取ってその中に固定するような大きさに作られたチャネルが形成されているジョイント筐体を有するコードジョイントと、
を備える、一対のイヤホン。
（項目１５）
上記後方部には、上記第１のイヤホンコード及び上記第２のイヤホンコードのうちの１つを受け取ってその中に固定する大きさに作られたチャネルが形成されている、上記項目に記載の一対のイヤホン。
（項目１６）
上記チャネルは、上記ジョイント筐体の側部に形成される、上記項目のいずれか一項に記載の一対のイヤホン。
（項目１７）
上記側部は、上記コードの挿入及び除去を容易にするために、上記チャネルの少なくとも一端の近くに角度の付いた形状を有する、上記項目のいずれか一項に記載の一対のイヤホン。
（項目１８）
上記チャネルは、上記コードジョイントで受け入れられるように上記イヤホンコードにほぼ平行の向きを有し、略円形の断面を有する、上記項目のいずれか一項に記載の一対のイヤホン。
（項目１９）
上記イヤホンコードは、締まりばめによって上記チャネルに固定される、上記項目のいずれか一項に記載の一対のイヤホン。
（項目２０）
上記コードジョイントに動作可能に接続されるイヤホンプラグをさらに備え、上記イヤホンプラグは、上記第１のイヤホンコード及び上記第２のイヤホンコードの１つを受け取ってその中に固定するような大きさに作られたチャネルが形成されているプラグ筐体を有する、上記項目のいずれか一項に記載の一対のイヤホン。
（摘要）
イヤホンは、スピーカを受け取るようにされた筐体を備える。筐体は、ユーザの耳に挿入するようにされた前方部と、ユーザの耳の外側に残るようにされた後方部とを有する。後方部には、イヤホンコードを受け取って固定する大きさに作られたチャネルが形成される。イヤホンは、チャネルが形成されているプラグ筐体を有するイヤホンプラグ、または、チャネルが形成されているジョイント筐体を有するコードジョイントも備えてよい。
【図面の簡単な説明】
【０００７】
【図１】実施形態に係る、イヤホンの斜視図である。
【図２】イヤホンの上面図である。
【図３】イヤホン筐体に形成されるチャネル内にコードを収容したイヤホンの斜視図である。
【図４】第１のイヤホンからのコードが第２のイヤホン筐体のチャネル内に収容されている斜視図である。
【図５】イヤホンコードがイヤホンプラグの近くのイヤホン筐体のチャネル内に収容されている斜視図である。
【図６】コードジョイントのチャネル内にイヤホンコードが収容されている斜視図である。
【図７Ａ】コードジョイントから上向き及び下向きにイヤホンコードに固定されたイヤホン筐体の例を示す図である。
【図７Ｂ】コードジョイントから上向き及び下向きにイヤホンコードに固定されたイヤホン筐体の例を示す図である。
【図８】使用していない時に収納できるように、イヤホンプラグのチャネル内に収容されたイヤホンコードを示す図である。
【図９】ユーザの手首にコードを巻くことができるように、イヤホン筐体のチャネル内と、イヤホンプラグのチャネル内に収容されたイヤホンコードを示す図である。
【発明を実施するための形態】
【０００８】
必要に応じて、本発明の詳細な実施形態を本明細書に開示するが、開示の実施形態は、単に発明の例示であり、発明は、様々な及び代替の形態で実現されてよいことは理解されたい。図面は、必ずしも縮尺通りではなく、特定の構成要素の詳細が分かるように、一部の特徴を誇張したり、小さくしたりしている場合がある。従って、本明細書に開示の特定の構造的及び機能的詳細は、制限と解釈してはならず、当業者が本発明を様々に採用するための教示の基礎となるものを示しているに過ぎない。
【０００９】
図１及び図２を参照すると、実施形態に係る、イヤホン１０を示す。イヤホン１０は、筐体１２を備え、筐体１２には、音をユーザの耳に伝えるスピーカ（図示せず）が配置されている。コード１４は、スピーカとイヤホンプラグ１６の間で電気通信を行うために筐体１２からイヤホンプラグ１６に延びている（図５を参照）。筐体１２は、ユーザの耳に挿入されて、そこから音を耳に導くようにされた前方部１８と、ユーザの耳の外側に残るようにされた後方部２０と、を有する。
【００１０】
チャネル２２またはコード挟み（ｃｏｒｄ  ｐｉｎｃｈ）は、後方部２０に備えられる。図３及び図４に示すように、チャネル２２は、イヤホンコード１４を受け取って、締まりばめ等によって固定する大きさに作られている。ユーザは、イヤホンコード１４をチャネル２２に押し付けて、所定の位置に固定してよい。例えば、ユーザが一方のイヤホンのみを使用したい場合、ユーザは、一方のイヤホン１２を他方のイヤホン１２のコード１４上に容易に挟むことができる。本明細書に記載の実施形態においては、後方部２０は、六角形を有し、後方部２０は、コード１４の挿入及び除去を容易にする等のために、チャネル２２の少なくとも一端２３の近くに角度がついたまたは傾斜した形状を有してよい。チャネルは、前方部１８の水平軸にほぼ垂直に向いてよく、チャネル２２は、略円形の断面を有してよい。しかしながら、理解されるように、後方部２０は、任意の形状を有してよく、チャネル２２は、意図した用途に適した任意の長さ、向き、及び、断面を有してよい。イヤホンコード１４を筐体１２に固定する追加の機構は、後方部２０上のメカニカルアーム等が考えられるが、それに限られない。一方または両方のイヤホン１２をイヤホンコード１４に固定することによって、以下に記載するように、収納のためにコードを巻くのにも役立ち得る。
【００１１】
図５は、プラグ筐体２６を有するイヤホンプラグ１６を示す。プラグ筐体２６内には、イヤホンコード１４を受け取って、締まりばめ等によって固定する大きさに作られたチャネル２８が形成されている。一実施形態においては、チャネル２８は、プラグ筐体２６の突出部３０に形成される。より詳細には、プラグ筐体２６は、略円形または略四角形の断面等を有する細長い形であってよい。突出部３０は、プラグ筐体２６の上方部３２として構成されてよく、プラグ筐体２６の下方部３４より大きい断面積を有してよい。プラグ筐体２６は、コード１４の挿入及び除去を容易にする等のために、チャネル２２の少なくとも一端２９の近くに角度が付いたまたは傾斜した形状を有してよい。チャネル２８は、イヤホンプラグ１６に受け止められたイヤホンコード１４にほぼ平行の向きを有してよく、略円形の断面を有してよい。しかしながら、理解されるように、プラグ筐体２６及び突出部３０は、任意の形状を有してよく、チャネル２８は、意図する用途に適した任意の長さ、向き、及び、断面積を有してよい。イヤホンチャネル２２の記載は、プラグチャネル２８にも適用可能である。
【００１２】
図６に示すように、コードジョイント３６またはＶストップは、ジョイント筐体４０に備えられたチャネル３８も含んでよく、チャネル３８は、イヤホンコード１４を受け取って、締まりばめ等によって固定する大きさに作られる。より詳細には、ジョイント筐体４０は、略長方形の断面等を有する細長い形であってよく、チャネル３８は、イヤホンコード１４を受け取る近くの筐体４０の側部４２に形成されてよい。側部４２は、コード１４の挿入及び除去を容易にする等のために、チャネル３８の少なくとも一端４４の近くに角度が付いたまたは傾斜した形状を有してよい。チャネル３８は、コードジョイント３６で受け取られたイヤホンコード１４にほぼ平行な向きを有してよく、略円形の断面を有してよい。しかしながら、理解されるように、ジョイント筐体４０及び側部４２は、任意の形状を有してよく、チャネル３８は、意図する用途に適した任意の長さ、向き、及び、断面を有してよい。イヤホンチャネル１８とプラグチャネル２８の記載は、チャネル３８にも適用可能である。
【００１３】
ユーザは、イヤホン１０を一方だけ使用したい時、図７Ａに示すように、第２の使用しないイヤホンの筐体１２を使用中のイヤホン１０のイヤホンコード１４に固定してよい。使用していないイヤホン１０にとって、この場所は、両方のイヤホン１０を再度、使用しようとすると、容易に第２のイヤホン１０にアクセス可能なので、ユーザが第２のイヤホン１０の使用を短時間、やめたい場合には望ましいと思われる。ユーザが第２のイヤホン１０の使用を長時間、やめたい場合、第２のイヤホンの筐体１２をイヤホンプラグ１６の近くのコード１４に固定する図７Ｂに示す収納の構成が有利であろう。後者の構成においては、第２のイヤホン１０のコード１４は、コードジョイント３６に備えられたチャネル３８内に収容されてもよい。
【００１４】
図８は、使用していない時に収納する等のため、イヤホンプラグ１６のチャネル２８内に収容されたイヤホンコード１４を表す。図に示すように、コード１４の一部分を、残りのコード１４の周りに巻いてよく、巻かれていないコード１４は、コード１４がほどけたり、絡んだりするのを防止するように、プラグチャネル２８内に固定されてよい。図９は、ここでも、コード１４がほどけたり、絡んだりするのを防止するように、ユーザの手首にコード１４を巻くことができる様にする等のため、イヤホンの筐体１２のチャネル２２内、及び、イヤホンプラグ１６のチャネル２８内に収容されたイヤホンコード１４を示す。上記の任意の実施形態及び使用法においては、ユーザは、イヤホン１０を使用したい場合、容易にチャネル２２、２８、３８からコード１４を取り外し得る。
【００１５】
例示の実施形態を記載したが、これらの実施形態は、発明の可能な形態を全て記載することを意図するものではない。むしろ、明細書で用いた言葉は、説明のためであり限定のためではない。理解されるように、発明の精神及び範囲を逸脱することなく、様々な変更を行ってよい。さらに、実施形態の様々な実施の特徴を組み合わせて、発明のさらなる実施形態を形成してよい。
【図１】
2017017702.tif 000003
【図２】
2017017702.tif 000004
【図３】
2017017702.tif 000005
【図４】
2017017702.tif 000006
【図５】
2017017702.tif 000007
【図６】
2017017702.tif 000008
【図７Ａ】
2017017702.tif 000009
【図７Ｂ】
2017017702.tif 000010
【図８】
2017017702.tif 000011
【図９】
2017017702.tif 000012